(57)【要約】【課題】電子部品の巻線端末の配線構造を単純にすること。【解決手段】開口凹部２５を有する外装ケース１２Ａと、外装ケース１２Ａの開口凹部２５に配置されると共に、巻線３３，４３が巻回されている複数の電子部品素子３１，４１と、外装ケース１２Ａの側縁部に配設される複数の端子１６Ａと、を有し、複数の端子１６Ａは、基板に実装される実装部１６１ａ，１６２ａと、巻線３３，４３の端末が絡げられる絡げ部１６１ｃ，１６２ｅ，１６２ｆと、を有し、複数の端子１６Ａのうち少なくとも１つは、１つの実装部１６１ａ，１６２ａに対して、複数の絡げ部１６１ｃ，１６２ｅ，１６２ｆを有する。【選択図】図１
2008294046.tif 000002
【特許請求の範囲】
【請求項１】
開口凹部を有する外装ケースと、
上記外装ケースの上記開口凹部に配置されると共に、巻線が巻回されている複数の電子部品素子と、
上記外装ケースの側縁部に配設される複数の端子と、
を有し、
上記複数の端子は、基板に実装される実装部と、上記巻線の端末が絡げられる絡げ部と、を有し、上記複数の端子のうち少なくとも１つは、１つの上記実装部に対して、複数の上記絡げ部を有することを特徴とする電子部品。
【請求項２】
前記外装ケースの前記側縁部は、一対の対向する周壁部を有しており、前記絡げ部は、上記周壁部の長手方向に複数設けられていることを特徴とする請求項１記載の電子部品。
【請求項３】
前記複数の端子のうち、前記複数の前記絡げ部を有しないものの配列の間に間隔を設けると共に、この間隔に前記複数の前記絡げ部を有する前記端子を配設することを特徴とする請求項１または２記載の電子部品。
【発明の詳細な説明】
【技術分野】
【０００１】
本発明は、通信機器およびネットワーク接続機器等において信号を伝送するための電子部品に関する。
【背景技術】
【０００２】
従来から、通信機器用、またはネットワーク接続機器用として、チョークコイルとパルストランスとを備える電子部品が存在する（特許文献１を参照）。このタイプの電子部品においては、トロイダルコアに巻線を巻回したパルストランスもしくはチョークコイル等の電子部品素子をケース内に格納し、該電子部品素子から巻線の端末を引き出している。そして、この端末を、ケースから露出する実装部を備えた端子に絡げている。
【０００３】
【特許文献１】特開２００５−９３７８４号公報（要約書）
【発明の開示】
【発明が解決しようとする課題】
【０００４】
特許文献１に開示されている電子部品では、ケース内に格納されている合計４個の電子部品素子から巻線の端末が引き出され、該端末が端子に絡げられている。その結果、この特許文献１では、これら端子に絡げられた巻線端末の配線構造が複雑になるという問題がある。
【０００５】
本発明は、かかる問題に鑑みてなされたものであり、その目的とするところは、巻線端末の配線構造を単純にすることが可能な電子部品を提供しようとするものである。
【課題を解決するための手段】
【０００６】
上記課題を解決するために、本発明は、開口凹部を有する外装ケースと、外装ケースの開口凹部に配置されると共に、巻線が巻回されている複数の電子部品素子と、外装ケースの側縁部に配設される複数の端子と、を有し、複数の端子は、基板に実装される実装部と、巻線の端末が絡げられる絡げ部と、を有し、複数の端子のうち少なくとも１つは、１つの実装部に対して、複数の絡げ部を有するものである。
【０００７】
このように構成した場合には、少なくとも１つの端子は、１つの実装部につき複数の絡げ部を有している。このため、電子部品素子に巻回された巻線の端末を絡げる箇所の自由度が拡がる。その結果、端末の配線構造を単純にすることが可能となる。また、１つの実装部に対して複数の端末を接続しなければならない場合、絡げ作業が容易となる。
【０００８】
また、他の発明は、上述の発明に加えて更に、外装ケースの側縁部は、一対の対向する周壁部を有しており、絡げ部を、周壁部の長手方向に複数設けたものである。このように構成した場合には、周壁部の長手方向のスペースを有効活用して絡げ部を設けることが可能となる。その結果、電子部品が大型化することなく絡げ部の数を増やすことが可能となる。
【０００９】
さらに、他の発明は、上述の発明に加えて更に、複数の端子のうち、複数の絡げ部を有しないものの配列の間に間隔を設けると共に、この間隔に複数の絡げ部を有する端子を配設したものである。このように構成した場合には、電子部品を基板に実装する際、実装部が基板に形成された配線パターンと接触するのを防止できる。
【発明の効果】
【００１０】
本発明によると、電子部品における巻線端末の配線構造を単純にすることができる。
【発明を実施するための最良の形態】
【００１１】
（第１の実施の形態）
以下、本発明の第１の実施の形態に係る電子部品１０Ａについて、図面を参照しながら説明する。なお、以下の説明（各実施の形態に共通）において、図１〜図１２に示す矢示Ｘ１方向を前、矢示Ｘ２方向を後、矢示Ｙ１方向を左、矢示Ｙ２方向を右、矢示Ｚ１方向を上および矢示Ｚ２方向を下とそれぞれ規定する。
【００１２】
図１は、本発明の第１の実施の形態に係る電子部品１０Ａのケース体１２Ａの構成を示す斜視図であり、面実装されない面を上方にした状態を示す図である。図２は、本発明の第１の実施の形態に係る電子部品１０Ａのケース体１２Ａの構成を示す斜視図であり、面実装される面を上方にした状態を示す図である。図３は、本発明の第１の実施の形態に係る電子部品１０Ａの平面図であり、面実装されない面を上方にした状態を示す図である。
【００１３】
電子部品１０Ａは、図３に示すように、ケース体１２Ａの内部に電子部品素子となるパルストランス３１，３１およびチョークコイル４１，４１とを配置することにより構成される。ケース体１２Ａは、図１および図２に示すように、一方が開口した略長方形の箱型形状を呈している。該ケース体１２Ａは、箱状のケース部１４と、該ケース部１４の側方に設けられた端子部１６Ａと、から主に構成されている。
【００１４】
図１および図２に示すように、ケース部１４は、例えば実装基板に実装される側の全面が開放している箱型形状に設けられており、その箱型形状を構成する構成要素として、周壁部２２と、底壁部２３とを有している。これらのうち、周壁部２２は、長手方向の両端側（前後）に位置する短尺周壁部２２Ａと、これら一対の短尺周壁部２２Ａの間に位置しケース部１４の長手に沿う一対の長尺周壁部２２Ｂとを有している。そして、これら短尺周壁部２２Ａと、長尺周壁部２２Ｂにより、周壁部２２は、その外観が四角形のリング状の形態に設けられている。なお、短尺周壁部２２Ａは、長尺周壁部２２Ｂよりも長さ寸法が短く設けられている。また、短尺周壁部２２Ａには、端子部１６Ａを埋設する必要がないため、当該短尺周壁部２２Ａの厚み寸法は、長尺周壁部２２Ｂよりも小さく設けられている。
【００１５】
また、一対の短尺周壁部２２Ａの間には、底壁部２３が架け渡されている。この底壁部２３は、その上面が短尺周壁部２２Ａの上端よりも上方に位置すると共に、その下面が短尺周壁部２２Ａの上端よりも下方に位置するように設けられている。また、底壁部２３の幅寸法（短手方向の寸法）は、一対の長尺周壁部２２Ｂの内壁間の寸法よりも小さい。加えて、この底壁部２３と、周壁部２２との中心線が一致するように設けられている。そのため、長尺周壁部２２Ｂと底壁部２３との間には、長手方向に細長い、一対の貫通溝２４が設けられている。
【００１６】
また、ケース部１４は、耐熱性に優れた樹脂からなっている。このような樹脂として、例えば、エポキシ樹脂、ポリイミド樹脂、ポリアミド樹脂、液晶ポリマー、液晶ポリエステル等が挙げられる。しかしながら、ケース部１４の素材はこれらの樹脂に限定されるものではない。
【００１７】
図１および図２に示すように、長尺周壁部２２Ｂには、前方から後方に向かって、それぞれ複数（本実施の形態では、合計６つ）の端子部１６Ａが埋設されている。端子部１６Ａには、第１の端子１６１、および第２の端子１６２が存在する。これらのうち、第１の端子１６１は、実装部１６１ａと、立ち上がり部１６１ｂとを備えている。実装部１６１ａは、実装基板に実装時に接触する部位であり、長尺周壁部２２Ｂの法線方向に沿って、周壁部２２から離間する側に向かって所定だけ延伸している。また、立ち上がり部１６１ｂは、実装部１６１ａの根元から上方に向かって立ち上がる部位であり、長尺周壁部２２Ｂの高さ寸法よりも大きな長さ寸法を有している。そして、これら実装部１６１ａと立ち上がり部１６１ｂとにより、第１の端子１６１の側方から見た外観形状は、略Ｌ字状となっている。
【００１８】
また、立ち上がり部１６１ｂは、その多くの部分が長尺周壁部２２Ｂに埋設されているが、当該立ち上がり部１６１ｂのうち、上端側は、長尺周壁部２２Ｂの上端から露出している。そして、この露出部分に、後述する端末を絡げている。なお、以下の説明においては、この露出部分を、絡げ部１６１ｃと称呼する。
【００１９】
また、第２の端子１６２は、上述の実装部１６１ａ、立ち上がり部１６１ｂと同様の実装部１６２ａ、立ち上がり部１６２ｂをそれぞれ有している。それに加えて、第２の端子１６２は、略Ｌ字状であって、寸法の小さな端子部分が立ち上がり部１６２ｂの中途部に取り付けられる形状に設けられている。この略Ｌ字状の端子部分は、側方延出部１６２ｃと、小立ち上がり部１６２ｄとから構成されている。これらのうち、側方延出部１６２ｃは、立ち上がり部１６２ｂの上下方向略中央から、当該立ち上がり部１６２ｂの幅方向に沿って延出している。また、小立ち上がり部１６２ｄは、側方延出部１６２ｃの先端から、上方に向かって延伸している。
【００２０】
なお、本実施の形態では、小立上がり部１６２ｄの上端位置は、立ち上がり部１６２ｂの上端位置と高さ位置が略等しく設けられている。また、小立ち上がり部１６２ｄの上端側も、長尺周壁部２２Ｂの上端から露出しており、以下の説明においては、この露出部分を、絡げ部１６２ｅと称呼する。また、立ち上がり部１６２ｂのうち、長尺周壁部２２Ｂの上端から露出している部分を、絡げ部１６２ｆと称呼する。また、上記のように、第２の端子１６２は、立ち上がり部１６２ｂと小立ち上がり部１６２ｄを有するため、上方側から８つの端子部分が露出すると共に、下方側から６つの端子部分が露出する形状に設けられている。
【００２１】
また、図１に示すように、第２の端子１６２は、それぞれの長尺周壁部２２Ｂ内に、２つずつ、合計４つ設けられている。ここで、２つの第２の端子１６２は、長尺周壁部２２Ｂのうち、短手方向の中心を挟み、対称形状に設けられている。そのため、これら２つの第２の端子１６２を特に区別する必要がある場合、前側の第２の端子１６２を第２の端子１６２Ａ、後側の第２の端子１６２を第２の端子１６２Ｂと称呼する。
【００２２】
なお、第１の端子１６１、および第２の端子１６２は、立ち上がり部１６１ｂ、立ち上がり部１６２ｂおよび小立ち上がり部１６２ｄの間隔が概ね等しくなるように配置されている。
【００２３】
なお、第１の端子１６１、および第２の端子１６２の材料としては、銅、ステンレス、鉄またはアルミニウム等のような導電性に優れた金属を採用するのが好ましい。各端子１６１，１６２は、ケース部１４と一体成形されている。しかしながら、各端子１６１，１６２は、ケース部１４と一体成形することに限定されず、周壁部２２に予め設けられた差し込み用の孔に差し込んで、ケース部１４に取り付けるようにしても良い。
【００２４】
図３に示すように、ケース体１２Ａの開口凹部２５には、電子部品素子となる２つのパルストランス３１と、２つのチョークコイル４１が配置されている。パルストランス３１は、リング状のトロイダルコア３２のそれぞれに巻線３３を巻回することによって形成されている。また、チョークコイル４１もリング状のトロイダルコア４２のそれぞれに巻線４３を巻回することによって形成されている。パルストランス３１には、大きなインダクタンス値が要求される。そのため、トロイダルコア３２の大きさは、トロイダルコア４２よりも大きくなっている。
【００２５】
パルストランス３１は前後に並ぶように配置されており、チョークコイル４１は、左右に並ぶように配置されている。すなわち、パルストランス３１およびチョークコイル４１は、開口凹部２５内に略菱形状に配置されている。パルストランス３１およびチョークコイル４１は、開口凹部２５内に接着剤を用いて固定されている。なお、トロイダルコア３２，４２の材料として、例えば、フェライト、パーマロイ、センダスト、鉄またはカルボニル等の磁性材が挙げられる。しかしながら、トロイダルコア３２，４２の材料は、これらの磁性材に限定されるものではない。また、巻線３３，４３の材料としては、銅、ステンレス、鉄またはアルミニウム等の導電性に優れた金属が挙げられる。しかしながら、巻線３３，４３の材料は、これらの金属に限定されるものではない。
【００２６】
図３に示すように、パルストランス３１およびチョークコイル４１からは、合計１２本の端末が引き出され、端子部１６Ａに接続されている。各端末は、ケース体１２Ａの内部から貫通溝２４を介して外側に引き出され、端子部１６Ａに接続されている。具体的には、パルストランス３１からは、４本の端末が引き出されている。その内３本は、一方の貫通溝２４を介してケース体１２Ａの外側に引き出され、長手方向の一端部の絡げ部１６１ｃに１本、それと隣り合う絡げ部１６１ｃに１本、さらに隣の絡げ部１６２ｆにもう１本が、それぞれ絡げられている。残りの１本は、他方の貫通溝２４を介してケース体１２Ａの外側に引き出され、長手方向の一端部の絡げ部１６１ｃに絡げられている。
【００２７】
また、チョークコイル４１からは、２本の端末が、上述の残りの１本の端末が引き出されている貫通溝２４と同一の貫通溝２４を介してケース体１２Ａの外側に引き出されている。そして、このチョークコイル４１の端末は、上述の残りの１本が絡げられている絡げ部１６１ｃと隣り合う絡げ部１６１ｃと、これと隣り合う第２の端子１６２における絡げ部１６２ｅとに、それぞれ絡げられている。また、パルストランス３１とチョークコイル４１間は、２本の配線によって互いに接続されている。なお、絡げ部１６２ｆに絡げられている、パルストランス３１から引き出された端末を、適宜、同じ第２の端子１６２の絡げ部１６２ｅに接続することも可能である。また、チョークコイル４１から引き出され絡げ部１６２ｅに絡げられている端末を、適宜、絡げ部１６２ｆに絡げることも可能である。
【００２８】
なお、２つのパルストランス３１、および２つのチョークコイル４１は、長手方向の中心、および短手方向の中心を挟んで、それぞれ対称となるように配置されている。また、２つのパルストランス３１の端末、および２つのチョークコイル４１の端末は、長手方向の中心、および短手方向の中心を挟んで、それぞれ対称となるように絡げられている。また、各端末と各絡げ部１６１ｃ，１６２ｅ，１６２ｆとの間の電気的な接続は、それぞれの端末を、各絡げ部１６１ｃ，１６２ｅ，１６２ｆに絡げた後、半田付けすることにより行われる。
【００２９】
以上のように構成された電子部品１０Ａでは、第１の端子１６１、および第２の端子１６２のそれぞれには、絡げ部１６１ｃ、絡げ部１６２ｅおよび絡げ部１６２ｆがそれぞれ形成されている。そのため、第２の端子１６２には、１つの実装部１６２ａに対して、それぞれ２つの絡げ部１６２ｅ，１６２ｆが設けられている状態となる。したがって、パルストランス３１およびチョークコイル４１のそれぞれに巻回された巻線３３，４３の端末を絡げる箇所の自由度が拡がる。それにより、端末をより絡げやすい位置に絡げることが可能となる。例えば、本実施の形態では、チョークコイル４１の端末を、当該チョークコイル４１から最も近い絡げ部である絡げ部１６２ｅに絡げることが可能となる。その結果、端末の配線構造を単純にすることが可能となる。また、端末の配線構造が単純となるため、端末の端子部１６Ａへの絡げ作業が容易となる。
【００３０】
また、電子部品１０Ａでは、長尺周壁部２２Ｂの長手方向のスペース（図３における間隔Ａ）を有効活用して、絡げ部１６２ｅを追加的に設けている。その結果、当該長手方向のスペースを活用しない場合と比較すると、絡げ部１６２ｅを追加的に設けることを起因として、電子部品１０Ａが大型化するのを防止できる。また、電子部品１０Ａの下方においては、第２の端子１６２の実装部１６２ａの間には、間隔Ａが形成されている（図３を参照）。したがって、電子部品１０Ａを基板に実装する際、端子部１６Ａが基板に形成された配線パターンと接触することを防止できる。
【００３１】
（第２の実施の形態）
以下、本発明の第２の実施の形態に係る電子部品１０Ｂについて、図面を参照しながら説明する。なお、第２の実施の形態に係る電子部品１０Ｂにおいて、第１の実施の形態と共通する部分については、同一の符号を付すと共にその説明を省略または簡略化する。
【００３２】
図４は、本発明の第２の実施の形態に係る電子部品１０Ｂのケース体１２Ｂの構成を示す斜視図であり、面実装されない面を上方にした状態を示す図である。図５は、本発明の第２の実施の形態に係る電子部品１０Ｂのケース体１２Ｂの構成を示す斜視図であり、面実装される面を上方にした状態を示す図である。図６は、本発明の第２の実施の形態に係る電子部品１０Ｂの平面図であり、面実装されない面を上方にした状態を示す図である。
【００３３】
本実施の形態におけるケース体１２Ｂは、図４および図５に示すように、上述の第１の実施の形態におけるのと同様のケース部１４と、端子部１６Ｂと、から主に構成されている。端子部１６Ｂは、第１の実施の形態におけるのと同様の第１の端子１６１と、第３の端子１６３とから構成されている。また、電子部品１０Ｂは、図６に示すように、ケース体１２Ｂの内部に、上述の第１の実施の形態におけるのと同様のパルストランス３１およびチョークコイル４１を配置することにより構成される。
【００３４】
図４および図５に示すように、長尺周壁部２２Ｂには、前方から後方に向かって、端子部１６Ｂを構成する合計６つの端子１６１，１６３が埋設されている。これらのうちの５本は、上述した第１の端子１６１であり、残りの１本が第３の端子１６３である。
【００３５】
また、第３の端子１６３は、上述の実装部１６１ａ，１６２ａと同様の実装部１６３ａを有すると共に、上述の実装部１６１ｂ，１６２ｂと同様の立ち上がり部１６３ｂを有している。それに加えて、第３の端子１６３は、略Ｆ字状であって、寸法の小さな端子部分が、当該Ｆ字形状の根元から立ち上がり部１６３ｂの中途部に取り付けられる形状に設けられている。この略Ｆ字状の端子部分は、側方延出部１６３ｃと、２つの小立ち上がり部１６３ｄ，１６３ｅとから構成されている。
【００３６】
これらのうち、側方延出部１６３ｃは、立ち上がり部１６３ｂの上下方向略中央から、当該立ち上がり部１６３ｂの幅方向に沿って延出している。なお、この側方延出部１６３ｃは、上述の第１の実施の形態における側方延出部１６２ｃよりも、長さ寸法が長く設けられている。また、小立ち上がり部１６３ｄは、側方延出部１６２ｃの中途部分から、上方に向かって延伸している。さらに、小立ち上がり部１６３ｅは、側方延出部１６３ｅの先端から、上方に向かって延伸している。ここで、立ち上がり部１６３ｂと小立ち上がり部１６３ｄの間の間隔、および２つの小立ち上がり部１６３ｄ，１６３ｅの間の間隔は、等しく設けられている。
【００３７】
また、本実施の形態では、小立上がり部１６３ｄ，１６３ｅの上端位置は、立ち上がり部１６３ｂの上端位置と高さ位置が略等しく設けられている。また、小立ち上がり部１６３ｄ，１６３ｅの上端側も、長尺周壁部２２Ｂの上端から露出しており、以下の説明においては、この露出部分を、それぞれ絡げ部１６３ｆ，１６３ｇと称呼する。また、立ち上がり部１６３ｂのうち、長尺周壁部２２Ｂの上端から露出している部分を、絡げ部１６３ｈと称呼する。また、上記のように、第３の端子１６３は、立ち上がり部１６３ｂと小立ち上がり部１６３ｄ，１６３ｅを有するため、上方側から８つの端子部分が露出すると共に、下方側から６つの端子部分が露出する形状に設けられている。
【００３８】
また、図４等に示すように、第３の端子１６３は、それぞれの長尺周壁部２２Ｂ内に、１つずつ、合計２つ設けられている。ここで、長尺周壁部２２Ｂにおいては、その長手方向の一端側から見ると、第１の端子１６１が３つ並んだ後の位置に第３の端子１６３が設けられている。逆側の長手方向の他端側から見ると、第１の端子１６１が２つ並んだ後の位置に第３の端子１６３が設けられている。ここで、立ち上がり部１６３ｂは、第１の端子１６１が２つ並んだ後に存在するように配置されている。換言すれば、小立ち上がり部１６３ｅは、他端側から見ると、第１の端子１６１が３つ並んだ後に存在するように配置されている。
【００３９】
なお、第１の端子１６１、および第３の端子１６３は、立ち上がり部１６１ｂ、立ち上がり部１６３ｂ、および小立ち上がり部１６３ｄ，１６３ｅの間隔が概ね等しくなるように配置されている。
【００４０】
なお、図６に示すように、ケース体１２Ｂの開口凹部２５にも、２つのパルストランス３１と、２つのチョークコイル４１とが配置されている。これらパルストランス３１およびチョークコイル４１からは、合計１２本の端末が引き出され、端子部１６Ｂに接続されている。これらの端末のうち、パルストランス３１から引き出される４本の端末のうち３本は、一方の貫通溝２４を介してケース体１２Ｂの外側に引き出され、長手方向の一端部に存在する、３つの絡げ部１６１ｃにそれぞれ絡げられている。残りの１本は、他方の貫通溝２４を介してケース体１２Ｂの外側に引き出され、長手方向の一端部の絡げ部１６１ｃに絡げられている。
【００４１】
また、チョークコイル４１からは、２本の端末が、同一の貫通溝２４を介してケース体１２Ｂの外側に引き出されている。そして、このチョークコイル４１の端末は、パルストランス３１の３本の端末とは逆側に存在する、残りの１本の端末と隣り合う絡げ部１６１ｃに絡げられると共に、絡げ部１６３ｆとにそれぞれ絡げられている。なお、絡げ部１６３ｆに絡げられている、チョークコイル４１から引き出された端末を、適宜、同じ第３の端子１６３の絡げ部１６３ｇまたは絡げ部１６３ｈに接続することも可能である。また、パルストランス３１とチョークコイル４１間の配線として、第３の端子１６３を用いるようにしても良い。
【００４２】
以上のように構成された電子部品１０Ｂでは、第３の端子１６３は３つの絡げ部１６３ｆ，１６３ｇ，１６３ｈを有する。したがって、パルストランス３１およびチョークコイル４１のそれぞれに巻回された巻線３３，４３の端末を絡げる箇所の自由度が拡がる。そのため、端末をより絡げやすい位置に絡げることが可能となる。例えば、本実施の形態では、チョークコイル４１の端末を、当該チョークコイル４１から最も近い絡げ部である絡げ部１６３ｆに絡げることが可能となる。その結果、端末の配線構造を単純にすることが可能となる。また、端末の配線構造が単純となるため、端末の端子部１６Ｂへの絡げ作業が容易となる。
【００４３】
また、電子部品１０Ｂでは、長尺周壁部２２Ｂの長手方向のスペース（図６における間隔Ｂ）を有効活用して、絡げ部１６３ｆ，１６３ｇを追加的に設けている。その結果、当該長手方向のスペースを活用しない場合と比較すると、絡げ部１６３ｆ，１６３ｇを追加的に設けることを起因として、電子部品１０Ｂが大型化するのを防止できる。また、電子部品１０Ｂの下方においては、第３の端子１６３の実装部１６３ａの間には、間隔Ｂが形成されている（図６を参照）。したがって、電子部品１０Ｂを基板に実装する際、端子部１６Ｂが基板に形成された配線パターンと接触することを防止できる。
【００４４】
（第３の実施の形態）
以下、本発明の第３の実施の形態に係る電子部品１０Ｃについて、図面を参照しながら説明する。なお、第３の実施の形態に係る電子部品１０Ｃにおいて、第１および第２の実施の形態と共通する部分については、同一の符号を付すと共にその説明を省略または簡略化する。
【００４５】
図７は、本発明の第３の実施の形態に係る電子部品１０Ｃのケース体１２Ｃの構成を示す斜視図であり、面実装されない面を上方にした状態を示す図である。図８は、本発明の第３の実施の形態に係る電子部品１０Ｃのケース体１２Ｃの構成を示す斜視図であり、面実装される面を上方にした状態を示す図である。図９は、本発明の第３の実施の形態に係る電子部品１０Ｃの平面図であり、面実装されない面を上方にした状態を示す図である。
【００４６】
本実施の形態におけるケース体１２Ｃは、図７および図８に示すように、上述の第１の実施の形態におけるのと同様のケース部１４と、端子部１６Ｃと、から主に構成されている。端子部１６Ｃは、第１の実施の形態におけるのと同様の第１の端子１６１と、第４の端子１６４とから構成されている。また、電子部品１０Ｃは、図９に示すように、ケース体１２Ｂの内部に、上述の第１の実施の形態におけるのと同様のパルストランス３１およびチョークコイル４１を配置することにより構成される。
【００４７】
図７および図８に示すように、長尺周壁部２２Ｂには、前方から後方に向かって、端子部１６Ｃを構成する合計６つの端子１６１，１６４が埋設されている。これらのうちの４本は、上述した第１の端子１６１であり、残りの２本が第４の端子１６４である。
【００４８】
第４の端子１６４は、それ自体を平面視すると、略Ｈ字形状を有している。加えて、この第４の端子１６４は、それ自体を側面視すると、略Ｌ字形状をなすような折り曲げ形状に設けられている。なお、この折り曲げ形状のうち一方は実装部１６４ａ，１６４ａとなっている。また、この折り曲げ形状のうち他方は、上方に向かって立ち上がる立ち上がり部１６４ｂ，１６４ｂとなっている。また、側方延出部１６４ｃが、２つの立ち上がり部１６４ｂ，１６４ｂにおける中途部分を幅方向に沿って連接している。
【００４９】
また、本実施の形態では、立ち上がり部１６４ｂ，１６４ｂの上端位置は、共に等しい高さとなっている。また、立ち上がり部１６４ｂ，１６４ｂの上端側も、長尺周壁部２２Ｂの上端から露出しており、以下の説明においては、この露出部分を、それぞれ絡げ部１６４ｄ，１６４ｄと称呼する。また、上記のように、第４の端子１６４は、立ち上がり部１６４ｂ，１６４ｂを有するため、上方側から８つの端子部分が露出すると共に、下方側から８つの端子部分が露出する形状に設けられている。
【００５０】
また、図７等に示すように、第４の端子１６４は、それぞれの長尺周壁部２２Ｂ内に、２つずつ、合計４つ設けられている。ここで、長尺周壁部２２Ｂにおいては、その長手方向の一端側から見ると、第１の端子１６１が２つ並んだ後の位置に第４の端子１６４が２つ並んで設けられている。また、逆側の長手方向の他端側から見ると、第１の端子１６１が２つ並んだ後の位置に第４の端子１６４が２つ並んで設けられている。
【００５１】
なお、第１の端子１６１および第４の端子１６４は、立ち上がり部１６１ｂ、立ち上がり部１６４ｂ，１６４ｂの間隔が概ね等しくなるように配置されている。
【００５２】
なお、図９に示すように、ケース体１２Ｂの開口凹部２５にも、２つのパルストランス３１と、２つのチョークコイル４１とが配置されている。これらパルストランス３１およびチョークコイル４１からは、合計１２本の端末が引き出され、端子部１６Ｃに接続されている。これらの端末のうち、パルストランス３１から引き出される４本の端末のうち３本は、一方の貫通溝２４を介してケース体１２Ｂの外側に引き出され、長手方向の一端部に存在する、２つの絡げ部１６１ｃおよび絡げ部１６４ｄにそれぞれ絡げられている。残りの１本は、他方の貫通溝２４を介してケース体１２Ｂの外側に引き出され、長手方向の一端部の絡げ部１６１ｃに絡げられている。
【００５３】
また、チョークコイル４１からは、２本の端末が、同一の貫通溝２４を介してケース体１２Ｂの外側に引き出されている。そして、このチョークコイル４１の端末は、パルストランス３１の３本の端末とは逆側に存在する、残りの１本の端末と隣り合う絡げ部１６１ｃに絡げられると共に、前方側の絡げ部１６４ｄとにそれぞれ絡げられている。なお、前方側の絡げ部１６４ｄに絡げられている、チョークコイル４１から引き出された端末を、適宜、同じ第４の端子１６４の後方側の絡げ部１６４ｄに接続することも可能である。また、パルストランス３１とチョークコイル４１間の配線として、第４の端子１６４を用いるようにしても良い。
【００５４】
以上のように構成された電子部品１０Ｃでは、第４の端子１６４は２つの絡げ部１６４ｄ，１６４ｄを有する。したがって、パルストランス３１およびチョークコイル４１のそれぞれに巻回された巻線３３，４３の端末を絡げる箇所の自由度が拡がる。そのため、端末をより絡げやすい位置に絡げることが可能となる。例えば、本実施の形態では、チョークコイル４１の端末を、当該チョークコイル４１から最も近い絡げ部である後方側の絡げ部１６４ｄに絡げることが可能となる。その結果、端末の配線構造を単純にすることが可能となる。また、端末の配線構造が単純となるため、端末の端子部１６Ｃへの絡げ作業が容易となる。
【００５５】
（第４の実施の形態）
以下、本発明の第４の実施の形態に係る電子部品８０について、図面を参照しながら説明する。なお、第４の実施の形態に係る電子部品８０において、第１から第３の実施の形態と共通する部分については、同一の符号を付すと共にその説明を省略または簡略化する。
【００５６】
図１０は、本発明の第４の実施の形態に係る電子部品１０Ｄのケース体１２Ｄの構成を示す斜視図であり、面実装されない面を上方にした状態を示す図である。図１１は、本発明の第４の実施の形態に係る電子部品１０Ｄのケース体１２Ｄの構成を示す斜視図であり、面実装される面を上方にした状態を示す図である。図１２は、本発明の第４の実施の形態に係る電子部品１０Ｄの平面図であり、面実装されない面を上方にした状態を示す図である。
【００５７】
本実施の形態におけるケース体１２Ｄは、図１０および図１１に示すように、上述の第１の実施の形態におけるのと同様のケース部１４と、端子部１６Ｄと、から主に構成されている。端子部１６Ｄは、第１の実施の形態におけるのと同様の第１の端子１６１と、第５の端子１６５とから構成されている。また、電子部品１０Ｄは、図１２に示すように、ケース体１２Ｂの内部に、上述の第１の実施の形態におけるのと同様のパルストランス３１およびチョークコイル４１を配置することにより構成される。
【００５８】
図１０および図１１に示すように、長尺周壁部２２Ｂには、前方から後方に向かって、端子部１６Ｄを構成する合計６つの端子１６１，１６５が埋設されている。これらのうちの５本は、上述した第１の端子１６１であり、残りの１本が第５の端子１６５である。
【００５９】
第５の端子１６５は、実装部１６５ａと立ち上がり部１６５ｂとからなる略Ｌ字状の形態を有する端子を前後方向に３つ並べ、各立ち上がり部１６５ｂの中途部分を前後方向に延伸する延出部１６５ｃによって連接した形態を有している。
【００６０】
また、本実施の形態では、立ち上がり部１６５ｂ，１６５ｂ，１６５ｂの上端位置は、共に等しい高さとなっている。また、立ち上がり部１６５ｂ，１６５ｂ，１６５ｂの上端側も、長尺周壁部２２Ｂの上端から露出しており、以下の説明においては、この露出部分を、それぞれ絡げ部１６５ｄ，１６５ｄ，１６５ｄと称呼する。また、上記のように、第５の端子１６５は、立ち上がり部１６５ｂ，１６５ｂ，１６５ｂを有するため、上方側から８つの端子部分が露出すると共に、下方側から８つの端子部分が露出する形状に設けられている。
【００６１】
また、図１０等に示すように、第５の端子１６５は、それぞれの長尺周壁部２２Ｂ内に、１つずつ、合計２つ設けられている。ここで、左側の長尺周壁部２２Ｂにおいては、その長手方向の一端側から見ると、第１の端子１６１が３つ並んだ後の位置に第５の端子１６５が設けられている。逆側の長手方向の他端側から見ると、第１の端子１６１が２つ並んだ後の位置に第５の端子１６５が設けられている。また、右側の長尺周壁部２２Ｂにおいては、その長手方向の一端側から見ると、第１の端子１６１が２つ並んだ後の位置に第５の端子１６５が設けられている。逆側の長手方向の他端側から見ると、第１の端子１６１が３つ並んだ後の位置に第５の端子１６５が設けられている。
【００６２】
なお、第１の端子１６１、および第５の端子１６５は、立ち上がり部１６１ｂ、立ち上がり部１６５ｂ，１６５ｂ，１６５ｂの間隔が概ね等しくなるように配置されている。
【００６３】
なお、図１２に示すように、ケース体１２Ｂの開口凹部２５にも、２つのパルストランス３１と、２つのチョークコイル４１とが配置されている。これらパルストランス３１およびチョークコイル４１からは、合計１２本の端末が引き出され、端子部１６Ｄに接続されている。これらの端末のうち、パルストランス３１から引き出される４本の端末のうち３本は、一方の貫通溝２４を介してケース体１２Ｂの外側に引き出され、長手方向の一端部に存在する、３つの絡げ部１６１ｃにそれぞれ絡げられている。残りの１本は、他方の貫通溝２４を介してケース体１２Ｂの外側に引き出され、長手方向の一端部の絡げ部１６１ｃに絡げられている。
【００６４】
また、チョークコイル４１からは、２本の端末が、同一の貫通溝２４を介してケース体１２Ｂの外側に引き出されている。そして、このチョークコイル４１の端末は、パルストランス３１の３本の端末とは逆側に存在する、残りの１本の端末と隣り合う絡げ部１６１ｃに絡げられると共に、第５の端子１６５における前後方向中央の絡げ部１６５ｄとにそれぞれ絡げられている。なお、前後方向中央の絡げ部１６５ｄに絡げられている、チョークコイル４１から引き出された端末を、適宜、同じ第５の端子１６５における他の絡げ部１６５ｄに接続することも可能である。また、パルストランス３１とチョークコイル４１間の配線として、第５の端子１６５を用いるようにしても良い。
【００６５】
以上のように構成された電子部品１０Ｄでは、第５の端子１６５は３つの絡げ部１６５ｄ，１６５ｄ，１６５ｄを有する。したがって、パルストランス３１およびチョークコイル４１のそれぞれに巻回された巻線３３，４３の端末を絡げる箇所の自由度が拡がる。そのため、端末をより絡げやすい位置に絡げることが可能となる。例えば、本実施の形態では、チョークコイル４１の端末を、当該チョークコイル４１から最も近い絡げ部である前後方向中央の絡げ部１６５ｄに絡げることが可能となる。その結果、端末の配線構造を単純にすることが可能となる。また、端末の配線構造が単純となるため、端末の端子部１６Ｄへの絡げ作業が容易となる。
【００６６】
以上、本発明の一実施の形態について説明したが、本発明は上述の形態に限定されることなく、種々変形した形態にて実施可能である。
【００６７】
上述の各実施の形態では、端子部１６Ｄ，１６Ｂ，１６Ｃ，１６Ｄのそれぞれを構成する端子の数は、それぞれ６つであるが、端子部１６Ｄ，１６Ｂ，１６Ｃ，１６Ｄのそれぞれの数は６つに限定されるものではなく、５つ以下にしても良いし、７つ以上としても良い。
【００６８】
また、上述の第１の実施の形態では、基板に実装されない側に絡げ部１６１ｃ，１６２ｃ，１６２ｅを設けているが、絡げ部１６１ｃ，１６２ｅ，１６２ｆを設ける位置はこの位置に限定されるものではなく、例えば、絡げ部１６１ｃ，１６２ｅ，１６２ｆを基板に実装される側に設けるようにしても良い。第２〜第３の実施の形態においても絡げ部を基板に実装される側等の他の位置に設けるようにしても良い。この場合、貫通溝２４を設けないようにしても良い。
【００６９】
また、上述の第１の実施の形態では、絡げ部１６１ｃ，１６２ｅ，１６２ｆは鉛直上方に突出する形態を有しているが、図１３に示すように、それらの上端部に外側に向かって延出する延出部９０を設けるようにしても良い。また、第２〜第３の実施の形態においても、同様に、延出部９０を設けるようにしても良い。
【００７０】
また、上述の各実施の形態では、ケース体１２の内部には、パルストランス３１およびチョークコイル４１は、２個ずつ配置されているが、パルストランスおよびチョークコイルの個数は、これらの数に限定されるものではなく、例えば、３個ずつ配置するようにしても良いし、１個ずつ配置するようにしても良い。
【００７１】
また、上述の第３の実施の形態では、第４の端子１６４，１６４間には、実装基板における配線パターンを跨いで配置するための間隔が設けられていないが、第４の端子１６４，１６４間に間隔を設けるために、第１の端子１６１および第４の端子１６４を前後にずらして配置するようにしても良い。また、第４の実施の形態においてもケース体１２の前後方向略中央には、実装基板における配線パターンを跨いで配置するための間隔が設けられていないが、第５の端子１６５における前後方向中央の実装部１６５ａをなくして、配線パターンに対応するための間隔を設けるようにしても良い。
【００７２】
また、本出願では、上述の各実施の形態において、パルストランス３１およびチョークコイル４１をケース体１２Ａ，１２Ｂ，１２Ｃ，１２Ｄの内部に格納した電子部品１０Ａ，１０Ｂ，１０Ｃ，１０Ｄを記載したが、内部に配置されるコイル部品は、これらの組み合わせに限定されるものではなく、例えば、複数のパルストランスのみ、あるいは複数のチョークコイルのみでもよく、種々のコイル部品を組み合わせたものを適用しても良い。
【産業上の利用可能性】
【００７３】
本発明の電子部品は、携帯電話、パソコン、テレビ等の各種電子機器において利用することができる。
【図面の簡単な説明】
【００７４】
【図１】本発明の第１の実施の形態に係る電子部品のケース体の構成を示す斜視図であり、面実装されない面を上方にした状態を示す図である。
【図２】本発明の第１の実施の形態に係る電子部品のケース体の構成を示す斜視図であり、面実装される面を上方にした状態を示す図である。
【図３】本発明の第１の実施の形態に係る電子部品の平面図であり、面実装されない面を上方にした状態を示す図である。
【図４】本発明の第２の実施の形態に係る電子部品のケース体の構成を示す斜視図であり、面実装されない面を上方にした状態を示す図である。
【図５】本発明の第２の実施の形態に係る電子部品のケース体の構成を示す斜視図であり、面実装される面を上方にした状態を示す図である。
【図６】本発明の第２の実施の形態に係る電子部品の平面図であり、面実装されない面を上方にした状態を示す図である。
【図７】本発明の第３の実施の形態に係る電子部品のケース体の構成を示す斜視図であり、面実装されない面を上方にした状態を示す図である。
【図８】本発明の第３の実施の形態に係る電子部品のケース体の構成を示す斜視図であり、面実装される面を上方にした状態を示す図である。
【図９】本発明の第３の実施の形態に係る電子部品の平面図であり、面実装されない面を上方にした状態を示す図である。
【図１０】本発明の第４の実施の形態に係る電子部品のケース体の構成を示す斜視図であり、面実装されない面を上方にした状態を示す図である。
【図１１】本発明の第４の実施の形態に係る電子部品のケース体の構成を示す斜視図であり、面実装される面を上方にした状態を示す図である。
【図１２】本発明の第４の実施の形態に係る電子部品の平面図であり、面実装されない面を上方にした状態を示す図である。
【図１３】本発明の変形例を示す図であり、絡げ部の上端部に延出部を設けた場合のケース体の斜視図である。
【符号の説明】
【００７５】
１０Ａ、１０Ｂ，１０Ｃ，１０Ｄ…電子部品
１２Ａ，１２Ｂ，１２Ｃ，１２Ｄ…ケース体（外装ケース）
３１…パルストランス（電子部品素子の一部）
４１…チョークコイル（電子部品素子の一部）
１６Ａ，１６Ｂ，１６Ｃ，１６Ｄ…端子部（端子）
２２…周壁部
２５…開口凹部
３３，４３…巻線
１６１ａ，１６２ａ，１６３ａ，１６４ａ，１６５ａ…実装部
１６１ｃ，１６２ｅ，１６２ｆ，１６３ｆ，１６３ｇ，１６３ｈ，１６４ｄ，１６５ｄ…絡げ部
【図１】
2008294046.tif 000003
【図２】
2008294046.tif 000004
【図３】
2008294046.tif 000005
【図４】
2008294046.tif 000006
【図５】
2008294046.tif 000007
【図６】
2008294046.tif 000008
【図７】
2008294046.tif 000009
【図８】
2008294046.tif 000010
【図９】
2008294046.tif 000011
【図１０】
2008294046.tif 000012
【図１１】
2008294046.tif 000013
【図１２】
2008294046.tif 000014
【図１３】
2008294046.tif 000015